(57)【要約】【課題】操作パネルの透明層を有する部品の取付け部分の外観上の品位の向上を提供する。【解決手段】操作パネル１２を構成している透明層を有する操作部４と操作部４を固定する操作部押さえ５において、操作部４に延出部７を設けることにより、操作部４の取付けを容易でかつ接合部の外観を向上させることを特徴とする。【選択図】図２
2006145126.tif 000002
【特許請求の範囲】
【請求項１】
透明樹脂の少なくとも裏面に印刷シートをインサート成型した操作部と、前記操作部を取り付けるための操作パネル受けと、前記操作部を固定するための操作部押さえとを備え、前記操作部は少なくとも一つの端面に延出部を有し、前記延出部を前記操作パネル受けと前記操作部押さえで挟み込む構成としたことを特徴とする操作パネル。
【請求項２】
操作部の延出部の裏面まで印刷シートを延出したことを特徴とした請求項１に記載の操作パネル。
【請求項３】
操作部押さえは、透明材料からなり、操作部の延出部に対向する裏面に印刷を有したことを特徴とする請求項１または２に記載の操作パネル。
【請求項４】
操作部は、延出部を有する端面の反対側の端面をＬ字状に形成した係止部を有し、前記係止部を操作パネル受けに係止した請求項１〜３のいずれか１項に記載の電気機器用操作パネル
【請求項５】
加熱室と、前記加熱室の開口部前面に設けた開閉扉とを備え、前記開閉扉の前面に請求項１〜４のいずれか１項に記載の操作パネルを配設した加熱調理器。
【発明の詳細な説明】
【技術分野】
【０００１】
本発明は電子機器における操作部を構成する操作パネルの構成に関するものである。
【背景技術】
【０００２】
近年、電子レンジ、炊飯器などの家電製品をはじめ、携帯電話などの情報機器にいたるまで電子機器の操作部には、印刷シートと成型樹脂とを一体化し、印刷シートを表面にくるように形成した表インサート成型品が広く用いられてきた（例えば、特許文献１参照）。
【０００３】
図６は、前記従来の操作パネルを示す断面図で、防水フィルム２１を一体成型した操作パネル２２を操作パネル装着部２３に接着して構成され、操作パネル２２には、表示素子であるＬＥＤ２４の光が透過する透過部２５やプッシュスイッチ２７を操作するための操作ボタン部２６を設けてある。
【０００４】
しかし、従来のような表インサート成型品では印刷シートが成型樹脂の表面に配されるため、透明感を創出するのは不可能であった。
【０００５】
そこで、成型樹脂を透明樹脂とし、さらに印刷シートを成型樹脂の裏側に配し、それらを一体化して成型する裏インサート成型により、操作パネルに透明層を形成することで透明感を出すことが考えられた。また、最近では、印刷シートを透明樹脂の表裏両方に配した両面インサート成型が提案され、透明層を裏シートで形成し、操作キーなどに多く用いられるエンボス加工を表シートで行うなど用途に応じて使い分けることにより、操作パネルとしての利用分野を大きく広げることが可能となった。
【０００６】
しかしながら、両面インサート成型品や裏インサート成型品においては、透明層を形成する必要があるために、成型品の裏面にボスやリブ、ツメ等により取付け部を構成することは困難であった。よって成型品の周囲などの目立たない場所にツメを構成し、操作パネル受けと嵌合させる方法が多く用いられていた。
【０００７】
このような取付け構成を行うと、裏面の印刷シートは成型品におけるツメ部を切り欠くため、表面から見ると、印刷をしていない部分（シートを切り欠いている部分）がくっきりと見えてしまい、外観上の品位を損なうことになっていた。
【０００８】
そこで、従来のこの種の対策としては、両面インサート成型品においては、図７、８に記載されているものが一般的であった。図７、８は従来の両面インサート成型の操作パネル構成の断面図およびその要部拡大図である。図に示すように、操作部４は操作パネル受け６と嵌合による固定を行うため、ツメ形状を形成している。そのため裏面シート９により印刷される裏面シート印刷部１１は前記操作部４の端面まで構成できないので、表面シート８により印刷される表面シート印刷部１０により前記裏面シート９の切り欠かれた部分を隠す対策を行っていた。また裏インサート成型品においては、この種の対策を行うことも不可能であり、実際はツメ嵌合部が表面からはっきりと見えたままの状態となっていた。
【特許文献１】特開平０６−２０９８４９号公報
【発明の開示】
【発明が解決しようとする課題】
【０００９】
しかしながら、前記従来の対策では、両面インサート成型品や裏インサート成型品で表現が可能となる樹脂の透明層が、表面シート印刷部１０の存在する部分のみ表現が不可能となるので、表面から見て視覚的には違和感を感じることとなり、特に操作部４と隣接する操作部押さえ５が透明層を有している場合は強く違和感を感じるという課題を有していた。
【００１０】
本発明は、前記従来の課題を解決するもので、両面インサート成型品や裏インサート成型品から構成される操作パネルにおける樹脂の透明層を均一化し、視覚的違和感の排除を目的とする。
【課題を解決するための手段】
【００１１】
前記従来の課題を解決するために、本発明の操作パネルは、透明樹脂の少なくとも裏面に印刷シートをインサート成型した操作部と、前記操作部を取り付けるための操作パネル受けと、前記操作部を固定するための操作部押さえとを備え、前記操作部は少なくとも一つの端面に延出部を有し、前記延出部を前記操作パネル受けと前記操作部押さえで挟み込む構成としたことを特徴とするものである。
【００１２】
本発明によれば、前記操作部の延出部を操作部押さえで固定することにより、前記操作パネル受けとのツメ構成を排除でき、また前記延出部は裏面の印刷シートを切り欠くことなく構成できるため、表面から見ても前記操作部の樹脂の透明層を前記操作部の取付け部分であっても表現することが可能となる。
【発明の効果】
【００１３】
本発明の操作パネルによれば、操作部を操作パネル受けと操作部押さえによって挟み込む取付け構成とし、操作部の裏面インサート成型を構成する裏面シートは切り欠くことなく操作部取付け用の延出部にまで印刷を行うことにより、表面から見て操作部の透明層を操作部の取付け部分であっても表現することが可能となる。
【発明を実施するための最良の形態】
【００１４】
第１の発明は、透明樹脂の少なくとも裏面に印刷シートをインサート成型した操作部と、前記操作部を取り付けるための操作パネル受けと、前記操作部を固定するための操作部押さえとを備え、前記操作部は少なくとも一つの端面に延出部を有し、前記延出部を前記操作パネル受けと前記操作部押さえで挟み込む構成としたことにより、周囲などの目立たない場所にツメを構成し、表面にツメを隠すための印刷を施す必要が無く、意匠的にも高級感を出すことが可能となる。
【００１５】
第２の発明は、特に、第１の発明において、操作部の延出部の裏面まで印刷シートを延出したことを特徴としたもので、延出部の裏面にまで印刷シートを構成することができ、表面から見て操作部の透明層を操作部の取付け部分であっても表現することが可能となり、操作部の端から端まで透明感を出すことが可能となる。
【００１６】
第３の発明は、特に、第１または２の発明の操作部押さえを、透明材料からなり、操作部の延出部に対向する裏面に印刷を有したことにより、互いに隣接する前記操作部と前記操作部押さえが透明層における一体感を備えることが可能となる。
【００１７】
第４の発明は、特に、第１〜３のいずれか１つの発明の操作パネルにおいて、操作部の延出部を有する端面の反対側の端面をＬ字状に形成した係止部を構成し、前記係止部を操作パネル受けに係止しることにより、前記操作部の取付け、固定を容易にし、また前記操作部を破壊することなく取外しが可能となる。
【００１８】
第５の発明は、特に、第１〜４のいずれか１つの発明の操作パネルを、加熱室と、前記加熱室の開口部前面に設けた開閉扉とを備えた高周波加熱調理器における前記開閉扉の前面に配設し、加熱室の温度上昇に伴い温度が高くなる前面の操作パネル押さえを硝子などの耐熱性の高い材料を用い、前記材料の裏に印刷を施すことにより、安全でかつ透明層に一体感を持たせた外観が可能となる。
【００１９】
以下、本発明の実施の形態について、図面を参照にしながら説明する。なお、この実施の形態によって本発明が限定されるものではない。
【００２０】
（実施の形態１）
図１は、本発明に係る操作パネルを用いた高周波加熱調理器の外観図を示す。この本実施の形態における高周波加熱調理器は、食材の加熱調理に高周波加熱を使用するもので、食材等の被加熱物を収容する加熱室２内に高周波を出力する高周波発生手段（図示せず）を備え、高周波加熱により被加熱物を加熱処理する。高周波発生手段を含む機械室１７は加熱室２の底面に設置され、また加熱室２は、前面開放の箱形の本体ケース３内部に形成されており、本体ケース３の前面に、加熱室２の被加熱物取出口を開閉する開閉扉１が設けられている。開閉扉１は、下端が本体ケース３の下縁にヒンジ結合されることで、上下方向に開閉可能となっており、上部に装備された取っ手１５を掴んで手前に引くことによって、図４に示す開いた状態にすることができる。また操作パネル１２は、開閉扉１の前面下部に組み込まれており、外観上は操作部４、操作部押さえ５により構成されている。
【００２１】
次に、操作パネル１２の詳細な構成について図２を用いて述べる。前述したとおり操作パネル１２は操作部４および操作部押さえ５により構成されているが、それらは操作パネル受け６を受け皿にして設置されている。ここで操作部４は透明樹脂をインサート成型した樹脂成型品であり、インサート成型用の印刷シートは透明樹脂の表面、裏面の両方にインサートされる両面インサート成型を施しているものである。また操作部４の背面には操作部受け１３が設置され、操作パネル受け６に固定されている。さらに操作部受け６は操作基板１４とも固定されている。
【００２２】
ここで、両面インサート成型品の構成、特徴について図５を用いて述べる。図５は一般的な操作部４に両面インサート成型品を用いた操作部４の要部断面図である。両面インサート成型品は射出成型の金型において、キャビティ側に表面シート８、コア側に裏面シート９を配設し、金型を閉じ、透明樹脂材料を金型内に注入し、成型することにより、表面シート８、裏面シート９および透明樹脂材料が一体に成型される。ここで表面から見て透明感を持たせる場合は、表面シート印刷部１０を印刷しなければ可能となる。また操作用のエンボス部１９等の表面から見て必要な印刷箇所に関しては表面シート８にエンボス部１９等を印刷する。図５はエンボス部１９のみ表面シートで印刷し、それ以外の箇所は裏面のみ印刷した図である。
【００２３】
なお、操作部４により操作においてキーを選択し、キーを押して操作を決定する際には、操作部４に加工されたエンボス部１９をキーとし、それを押すことにより、その背後にある操作部受け１３により形成された可動キー１３ａを介し、操作基板１４に設置した切替えスイッチ１４ａがオンオフし、操作基板１４上の回路接続が切替え可能となるようになっている。
【００２４】
次に、操作部４の取付け方法について図２を用いて説明する。操作部４は操作部押さえ５と隣接する端面においては延出部７を設けている。延出部７は操作部４の裏面を平面もしくは緩やかな曲面とした延長線上に設け、また延出部７の表面は操作部４の表面より低くなるように段差を設けている。よって、操作部４の裏面において、裏面シートによるインサート成型は延出部７の裏面まで可能となる。また操作部４において、延出部７の対面方向はＬ字状に成型し、そのＬ字部に係止部１８を設ける。
【００２５】
以上の構成において、操作部４の取付け方法は、はじめに操作部４を操作パネル受け６の上に設置し、Ｌ字部にある係止部１８を操作パネル受け６に係止させる。さらに操作部押さえ５を、操作部４で形成される延出部７および操作パネル受け６の上に設置し、操作部押さえ５をシリコン等によるパテ固定や外部からカナグ等で固定を行う。
【００２６】
次に、操作部押さえ５の構成について述べる。高周波加熱調理器において、操作部押さえ５は加熱室の前面に構成されているため、高周波加熱調理だけでなく、加熱室２内で発熱する電熱器を追加して、オーブン加熱を可能にした高周波加熱調理器においては、操作部押さえ５の表面温度は大きく上昇する。すなわち高温に耐え得る操作部押さえ５を構成する必要があるため、一般的には熱強化ガラスが用いられている。ガラスはある程度の厚みを有しているため、例えばガラスに裏から印刷を施す場合、視覚的には印刷部までの空間に透明層が発生する。よって前述したような、操作部４と操作部押さえ５が隣接する構成においては、操作部４も両面インサート成型により透明層を有しているため透明層の一体化を計ることが可能となり、意匠的に優れたものとすることができる。
【００２７】
以上のように構成された高周波加熱調理器の操作パネル１２は、外観上、操作部４と操作部押さえ５とが隣接しており、操作部４および操作部押さえ５はともに透明層を有し、裏面に印刷層を設け、また操作部４と操作部押さえ５の接合部においては操作部押さえ５で操作部４の延出部７を押さえこむ構成となる。
【００２８】
本実施の形態によれば、開閉扉１の前面に組み込まれた操作パネル１２は、操作部４と操作部押さえ５の接合部において、操作部押さえ５で裏面にインサート成型を施した操作部４の延出部７を押さえこませるため、互いに透明層を有した操作部４と操作部押さえ５との間の接合部の継ぎ目部分の切れ目を最小限に抑えることができ、操作パネルの透明層において一体感を生み出すことが可能となる。
【００２９】
また、本実施の形態によれば、操作部４の延出部７を有する端面の固定を前述の通り操作部押さえ５により押さえこむ構成とし、延出部７の反対側の端面をＬ字状に形成した係止部１８で操作パネル受けに係止することにより、操作部４の取付け、固定を容易にし、また操作部４の取り外しにおいても係止部１８の固定を解除するだけで、操作部４、操作部押さえ５および操作部パネル受け６で構成される嵌合部を破壊することなく行うことが可能となる。
【００３０】
なお、前記実施の形態において、高周波加熱調理器の操作パネルとして述べたが、高周波加熱調理器に限定されるものではなく、操作パネルを有する他の電子機器においても同様の効果が得られるものである。
【産業上の利用可能性】
【００３１】
以上のように、本発明にかかる操作パネルは、透明層を有した操作部の外観上の品位の向上を行うことができるため家電用品や音響製品等の電子機器の操作パネル等に広く適用可能である。
【図面の簡単な説明】
【００３２】
【図１】本発明の第１の実施の形態における加熱調理器の表側斜視図
【図２】同加熱調理器の操作パネルを含む開閉扉の縦断面図
【図３】図２に示すＢ部の部分拡大図
【図４】同加熱調理器の開閉扉が開いた状態を示した正面図
【図５】同過熱調理器の両面インサート成型品による操作スイッチ部分の要部断面図
【図６】従来の操作パネルを示す断面図
【図７】従来の両面インサート成型品による操作パネルの縦断面図
【図８】図７に示すＡ部の部分拡大図
【符号の説明】
【００３３】
１  開閉扉
２  加熱室
４  操作部
５  操作部押さえ
６  操作パネル受け
７  延出部
９  裏面シート（印刷シート）
１２  操作パネル
１８  係止部
【図１】
2006145126.tif 000003
【図２】
2006145126.tif 000004
【図３】
2006145126.tif 000005
【図４】
2006145126.tif 000006
【図５】
2006145126.tif 000007
【図６】
2006145126.tif 000008
【図７】
2006145126.tif 000009
【図８】
2006145126.tif 000010